(57)【要約】      （修正有）【課題】ピッキングエラーやエンボス部同士の嵌まり込み等のない、安定した収納とリールの巻き取りが可能な電子部品収納用エンボスキャリアテープを提供する。【解決手段】エンボス部の辺部１１に側壁上部１３と側壁下部１４を有し、側壁下部の傾斜角αが側壁上部の傾斜角θより大きく、コーナー部１２にコーナー壁１６を有し、コーナー壁の傾斜角βは側壁下部の傾斜角および側壁上部の傾斜角より小さく、少なくともコーナー部底部外形寸法ｂがコーナー部開口寸法ａよりも大きく、側壁上部と側壁下部との交点の縦及び横の大きさが収納する電子部品２の縦及び横の大きさよりそれぞれ大きく、前記側壁下部で電子部品底面の四辺を支持することにより電子部品をエンボス部中心に収納し、エンボス部のコーナー部及び底面１５が電子部品と接触しないことを特長とする電子部品収納用エンボスキャリアテープ１。【選択図】図１
2004224405.tif 000002
【特許請求の範囲】
【請求項１】
可撓性を有するテープ状物体の長手方向に一定の間隔で配置された電子部品収納用エンボス部を有する電子部品収納用エンボスキャリアテープにおいて、エンボス部のコーナー部（１２）を除くエンボス辺部（１１）に側壁上部（１３）と側壁下部（１４）を有し、側壁下部（１４）の傾斜角（α）が側壁上部の傾斜角（θ）より大きく、コーナー部（１２）にはコーナー壁（１６）を有し、コーナー壁（１６）の傾斜角（β）は側壁下部の傾斜角（α）および側壁上部の傾斜角（θ）より小さく、少なくともコーナー部底部外形寸法（ｂ）がコーナー部開口寸法（ａ）よりも大きく、側壁上部（１３）と側壁下部（１４）との交点の縦及び横の大きさが収納する電子部品の縦及び横の大きさよりそれぞれ大きく、前記側壁下部（１４）で電子部品底面の四辺を支持することにより電子部品をエンボス部中心に収納し、エンボス部のコーナー部及び底面が電子部品と接触しないことを特長とする電子部品収納用エンボスキャリアテープ。
【請求項２】
前記エンボス部の開口部形状はコーナー部に逃がし形状を有さない請求項１記載の電子部品収納用エンボスキャリアテープ。
【発明の詳細な説明】
【０００１】
【発明の属する技術分野】
本発明は電子部品の包装、及び  搬送に用いられる電子部品収納用エンボスキャリアテープに関するものである。
【０００２】
【従来の技術】
ＢＧＡ（Ｂａｌｌ  Ｇｒｉｄ  Ａｒｒａｙ  Ｐａｃｋａｇｅ）パッケージ等の電子部品に用いられるエンボスキャリアテープは一般に、図３に示すようなエンボス部の側壁に載置棚を設けた形状（例えば特許文献１、特許文献２参照。）、あるいは図４に示すようなエンボス部の側壁に前記電子部品底面の四辺を支持する傾斜面を鉛直面に対して鋭角で交差して底面 に連なって形成する形状（例えば特許文献３参照。）で行われていた。
しかしながら、特許文献１や特許文献２に示されるようなエンボス部の側壁に載置棚を設けた形状の場合は、図６に示すように、リールへの巻き取り時に上層のエンボス部が下層のエンボス部に嵌まり込み易く、安定したリールへの巻き取りが行われず、前記キャリアテープを引き出す際のキャリアテープ切れにつながることがあった。また前記電子部品を収納する時には電子部品が回転し、エンボス部中心に安定した収納が行われない場合があり、ピッキングのエラーにつながることがしばしばあった。さらに、電子部品底面の頂点がエンボス部に接触するため、エンボス部表面層が剥がれて、電子部品へのゴミ付着につながることもあった。
特許文献３に示されるようなエンボス部の側壁に前記電子部品底面の四辺を支持する傾斜面を鉛直面に対して鋭角で交差して内底面 に連なって形成する形状の場合も、リールへの巻き取り時に上層のエンボス部が下層のエンボス部に嵌まり込み易く、安定したリールへの巻き取りが行われなかった。また、
強度及びハンドリング時の安全上の理由で、エンボス部の縦方向及び横方向の側壁が直交するコーナー部には、Ｒ（角の丸み）を設ける必要があるため、比較的角のある前記電子部品の場合、電子部品底面の頂点がエンボス部のコーナー部に接触することになり、電子部品底面の四辺とエンボス部側壁の傾斜面との間には隙間が生じ、安定したサポート収納が行われなかった。
さらに、図５および特許文献４に示すように、エンボス部のコーナー部をＲ状に湾曲面とし、該Ｒ状湾曲面を一方向または両方向に逃した形状の場合でも、リールへの巻き取り時に上層のエンボス部が下層のエンボス部に嵌まり込み易く、安定したリールへの巻き取りが行われず、また、エンボスキャリアテープの幅及び長手方向のエンボス部の間隔が大きくなる可能性が生じてしまい、コストＵＰにつながることがあった。
【０００３】
【特許文献１】
特開平８−１１９３０号公報
【特許文献２】
特開平１０−１２００７５号公報
【特許文献３】
特開２０００−３３９６９号公報、図１
【特許文献４】
特開２０００−３３９６９号公報、図３および４
【０００４】
【発明が解決しようとする課題】
本発明は、従来、問題となっていた、ピッキングエラーやエンボス部同士の嵌まり込み等のない、安定した電子部品の収納とリールへの巻き取りが可能な電子部品収納用エンボスキャリアテープを提供するものである。
【０００５】
【課題を解決するための手段】
すなわち本発明は、
（１）  可撓性を有するテープ状物体の長手方向に一定の間隔で配置された電子部品収納用エンボス部を有する電子部品収納用エンボスキャリアテープにおいて、エンボス部のコーナー部（１２）を除くエンボス辺部（１１）に側壁上部（１３）と側壁下部（１４）を有し、側壁下部（１４）の傾斜角（α）が側壁上部の傾斜角（θ）より大きく、コーナー部（１２）にはコーナー壁（１６）を有し、コーナー壁（１６）の傾斜角（β）は側壁下部の傾斜角（α）および側壁上部の傾斜角（θ）より小さく、少なくともコーナー部底部外形寸法（ｂ）がコーナー部開口寸法（ａ）よりも大きく、側壁上部（１３）と側壁下部（１４）との交点の縦及び横の大きさが収納する電子部品の縦及び横の大きさよりそれぞれ大きく、前記側壁下部（１４）で電子部品底面の四辺を支持することにより電子部品をエンボス部中心に収納し、エンボス部のコーナー部及び底面が電子部品と接触しないことを特長とする電子部品収納用エンボスキャリアテープ。
（２）  前記エンボス部の開口部形状はコーナー部に逃がし形状を有さない（１）記載の電子部品収納用エンボスキャリアテープ。
である。
【０００６】
【発明の実施の形態】
以下、本発明の一実施例を示す図１に基づいて説明する。
本発明は、ＢＧＡ（Ｂａｌｌ  Ｇｒｉｄ  Ａｒｒａｙ  Ｐａｃｋａｇｅ）パッケージ等の電子部品（２）に用いられるエンボスキャリアテープ（１）であり、エンボス部のコーナー部（１２）を除くエンボス辺部（１１）に、傾斜角（α）の側壁下部（１４）と（α）より小さい傾斜角（θ）の側壁上部（１３）とを有する。側壁上部（１３）と側壁下部（１４）との交点の縦及び横の大きさ（ｃ）が電子部品の縦及び横の大きさ（ｄ）よりそれぞれ大きく、前記側壁下部（１４）で電子部品（２）底面の四辺（２１）を支持することにより電子部品（２）をエンボス部中心に収納し、エンボス部のコーナー部（１２）及び底面（１５）が電子部品（２）と接触しない形状であるため、電子部品（２）の安定挿入及びピックアップが容易に行える。
そして、前記エンボス部のコーナー部（１２）には、コーナー壁（１６）を有し、コーナー壁（１６）の傾斜角（β）は（α）および（θ）より小さく、最小の抜きテーパーの値とすれば良い。さらに、コーナー壁（１６）の下部肉厚を上部より薄くすることで、外側の抜きテーパーを維持しながら、内側の傾斜角である（β）を逆テーパーとすることも可能である。したがって、コーナー壁（１６）は、底面（１５）に対しほぼ垂直であることが望ましい。こうすることにより、コーナー部（１２）においては、抜きテーパーによる開口部の広がりが、エンボス部の肉厚よりも小さくなり、結果的に、コーナー部底部外形寸法（ｂ）がコーナー部開口寸法（ａ）よりも大きくなるため、リールへの巻き取り時に上層のエンボス部が下層のエンボス部に嵌まり込まない。もちろん、（α）を十分小さく取ることによって、エンボス辺部（１１）においても同様に嵌まり込み防止を行うことができる。ただし、電子部品（２）が側壁下部（１４）に嵌まり込み易くなるので、電子部品が取り出せない等のピッキングエラーが発生し易くなる。図２は本発明のエンボスキャリアテープのリールへの巻き取り時の上層のエンボス部と下層のエンボス部の各部寸法関係を側断面から見た場合を示す。
また、本発明では、特許文献３の形状のように、コーナー部に電子部品を支える部分を有しないため、エンボス部の開口部形状は特許文献４のようにコーナー部（１２）に逃がし形状を設ける必要がない。したがって、比較的単純な大略正方形あるいは長方形の形状で良いため、開口部面積を小さくできる。特にトップテープのシールエリア（Ｇ）を確保し、かつエンボスキャリアテープの幅（Ｗ）及び長手方方向のエンボス部間隔（Ｐ１）を狭くすることが可能であり、エンボスキャリアテープを低コストで提供することができる。
【０００７】
【発明の効果】
本発明の可撓性を有するテープ状物体の長手方向に一定の間隔で配置された電子部品収納用エンボス部を有する電子部品収納用エンボスキャリアテープによれば、電子部品とエンボス部のコーナー部及び底面を接触させずに、電子部品底面の四辺を確実にエンボス部側壁下部の傾斜面にて支持することにより電子部品をエンボス部の中心に安定した収納を行うことができる。
また、上層のエンボス部が下層のエンボス部に嵌まり込む現象が生じることのないリールへの巻き取りが可能となる。
さらに、トップテープのシールエリアを十分に確保し、かつエンボスキャリアテープの幅及び長手方向のエンボス部間隔を狭くすることによりエンボスキャリアテープを低コストで提供することができる。
【図面の簡単な説明】
【図１】本発明の一実施例であるエンボスキャリアテープの平面図、側断面図及び底面図
【図２】本発明の一実施例であるエンボスキャリアテープのエンボス部の重なり（嵌まり込み）
状態の側断面
【図３】従来のエンボスキャリアテープの一例を示す平面図及び側断面図
【図４】従来のエンボスキャリアテープの他の例を示す平面図及び側断面図
【図５】従来のエンボスキャリアテープの他の例を示す平面図及び側断面図
【図６】従来のエンボスキャリアテープのエンボス部の重なり（嵌まり込み）状態の側断面
【符号の説明】
１・・・エンボスキャリアテープ
２・・・電子部品
１１・・・エンボス辺部
１２・・・コーナー部
１３・・・側壁上部
１４・・・側壁下部
１５・・・底面
１６・・・コーナー壁
１７・・・載置棚
２１・・・電子部品底面の辺
θ・・・側壁上部の傾斜角
α・・・側壁下部の傾斜角
β・・・コーナー壁の傾斜角
ａ・・・コーナー部開口寸法
ｂ・・・コーナー部底部外形寸法
ｃ・・・側壁上部と側壁下部の交点の大きさ
ｄ・・・電子部品の縦及び横の大きさ
Ｗ・・・エンボスキャリアテープの幅
Ｐ１・・・長手方向のエンボス部間隔
Ｇ・・・トップテープのシールエリア
【図１】
2004224405.tif 000003
【図２】
2004224405.tif 000004
【図３】
2004224405.tif 000005
【図４】
2004224405.tif 000006
【図５】
2004224405.tif 000007
【図６】
2004224405.tif 000008